(57)【要約】      （修正有）【課題】偏光サングラスをかけてＬＣＤを見るときの輝度低下を回避するＬＣＤに関する。【解決手段】第１基板、第１基板に平行で反対側に位置する第２基板、第１基板と第２基板の間に配置される液晶分子、第１基板を覆って配置される第１偏光板、及び第２基板を覆って配置される第２偏光板を有する。第１基板は、第１の配向方向に第１の配向表面を有し、第２の基板は第２の配向方向に第２の配向表面を有する表示パネルであって、第１の配向方向と第２の配向方向の間の角度は約９０°の範囲であり、第１の吸収軸及び第１の配向方向の間の角度、並びに第２の吸収軸と第２の配向方向の間の角度は、それぞれ約４５°の範囲である。【選択図】図６
2006091870.tif 000002
【特許請求の範囲】
【請求項１】
第１の配向方向に第１の配向表面を有する第１基板、第２の配向方向に第２の配向表面を有し、
前記第１の基板に平行でかつ反対側に位置する第２基板、
前記第１の配向表面と前記第２の配向表面の間に配置される液晶分子、
第１の吸収軸を有し前記第１の基板上に配置される第１の偏光板、及び
第２の吸収軸を有し前記第２の基板上に配置される第２の偏光板
を含む表示パネルであって、
前記第１の吸収軸及び前記第１の配向方向の間の角度、並びに前記第２の吸収軸と前記第２の配向方向の間の角度は、それぞれ約４５°±１０°の範囲であることを特徴とする表示パネル。
【請求項２】
前記第１の配向方向と前記第２の配向方向の間の角度は９０°±１０°の範囲である請求項１に記載の表示パネル。
【請求項３】
第３の吸収軸を有し、前記第１の基板と前記第１の偏光板の間に配置された第１の光学的補償フィルム、
第４の吸収軸を有し、前記第２の基板と前記第２の偏光板の間に配置された第２の光学的補償フィルム
をさらに含み、
ここで、前記第３の吸収軸と前記第１の配向方向、並びに前記第４の吸収軸と前記第２の配向方向はほぼ平行である請求項１又は２に記載の表示パネル。
【請求項４】
前記第３の吸収軸と前記第１の配向方向の間の角度、並びに前記第４の吸収軸と第２の配向方向の間の角度は、それぞれ０〜１０°の範囲である請求項３に記載の表示パネル。
【請求項５】
液晶分子の２つの屈折率の間の差の表示は、前記第１の光学的補償フィルム又は前記第２の光学的補償フィルムの２つの屈折率の間の差の表示と異なる請求項３に記載の表示パネル。
【請求項６】
前記第１の光学的補償フィルムと前記第１の偏光板の間に配置された第３の光学補償フィルムをさらに含み、
ここで、第３の光学的補償フィルムはｎｘ＝ｎｚ≠ｎｙ又はｎｙ＝ｎｚ≠ｎｘの関係を充足し、ｎｘ及びｎｙは面内主屈折率であり、ｎｚは厚さ方向屈折率である請求項３に記載の表示パネル。
【請求項７】
第３の光学的補償フィルムの遅い軸と第１の偏光板の第１の吸収軸の方向の間の角度が９０°±１０°の範囲である請求項６に記載の表示パネル。
【請求項８】
第２の光学的補償フィルムと第２の偏光板の間に配置される第４の光学的補償フィルをさらに含む請求項３に記載の表示パネルであって、ここで、第４の光学的補償フィルムはｎｘ＝ｎｚ≠ｎｙ又はｎｙ＝ｎｚ≠ｎｘの関係を充足し、ｎｘ及びｎｙは面内主屈折率であり、ｎｚは厚さ方向屈折率である請求項３に記載の表示パネル。
【請求項９】
第４の光学的補償フィルムの遅い軸と第２の偏光板の第２の吸収軸の方向の間の角度が９０°±１０°の範囲である請求項８に記載の表示パネル。
【請求項１０】
第１の偏光板が液晶の外側の第１の基板側に配置され、第２の偏光板が液晶の外側の第２の基板側に配置される請求項１に記載の表示パネル。
【請求項１１】
請求項１に記載の表示パネル、及び
入力データに従って画像を変化させるように表示パネルを制御するために前記表示パネルに接続されるスキャンドライバー及びデータドライバー
を含む表示装置。
【請求項１２】
請求項１１に記載の表示装置、及び
画像を表示するために前記表示装置に入力データを供給するための入力装置
を含む電子装置。
【発明の詳細な説明】
【技術分野】
【０００１】
本発明は、表示パネルに関する。特に、液晶表示装置の表示パネルに関する。
【背景技術】
【０００２】
従来から、液晶ディスプレイ（ＬＣＤ）としての液晶材料の応用は多くの分野で広く行われてきた。ねじれネマチック（ＴＮ）ＬＣＤ、超ねじれネマチック（ＳＴＮ）ＬＣＤ及び２層ＳＴＮ−ＬＣＤは、薄膜トランジスタ（ＴＦＴ）ＬＣＤの画素スイッチ素子としての使用を進化させた。従来のＬＣＤは、従来のカソード線チューブ（ＣＲＴ）ディスプレイに比較して、薄い、軽い重量、低い消費電力、電子線照射の必要がないなどの利点を有している。しかしながら、従来のＬＣＤは、少なくとも、輝度及びコントラストの視角依存性の問題及びグレー範囲反転の問題を有している。
【０００３】
図１Ａは、従来のＬＣＤパネルの構造を示す概略図である。図１Ａを参照すると、ＬＣＤパネル１００は、一般的には、上部基板１０２、底部基板１０４、基板１０２と１０４の間に積層された液晶分子１０６、基板１０２の上側及び基板１０４の下側にそれぞれ配置される偏光板１０８及び１１０、並びに光源１２を有する。一般的に、液晶分子１０６に隣接する基板１０２の下側面及び基板１０４の上側面は、液晶分子１０６を配向させるために配向面を形成するためにラビング処理される。方向Ｄ１及びＤ２は互いに直角であり、これらは透明基板１０２の下側面及び基板１０４の上側面の配向の方向を示している。ＦＩＧ１Ａに示されるように、基板１０２の下側面及び基板１０４の上側面に隣接した液晶分子１０６は、Ｄ１及びＤ２の方向にそれぞれ配向される。基板１０２と１０４の間には、液晶分子１０６が、基板１０２の下側面から基板１０４の上側面に向けて９０°回転した方向に配向されている。また、偏光板１０８と１１０の吸収軸のＤ３及びＤ４方向は、Ｄ１及びＤ２方向にそれぞれ平行である。
【０００４】
図１Ａにおいては、基板１０２と１０４の間には電位差がない。したがって、偏光されていない光源１１２が編光板１１０を通過すると、透明光の偏光方向はＤ４方向に垂直となる。次いで、透明光の偏光方向は、液晶モジュール１０６によって回転され、最終的にＤ１方向に垂直になる。したがって、偏光板１０８の吸収軸の方向Ｄ３はＤ１方向に平行なので、透過光は偏光板１０８を通過する。
【０００５】
図１Ｂは、従来のＬＣＤパネルの操作を示す分解模式図である。図１Ｂにおいては、電圧Ｖが基板１０２と１０４の間に印加され、これによって液晶分子１０６が電圧Ｖによる電界の方向に平行に配向される。したがって、偏光されていない光１１２が偏光板１１０を通過するとき透明光の偏光方向はＤ４方向に垂直となる。しかしながら、透過光の偏光方向は液晶分子１０６によって回転されず、最終的にＤ４方向に垂直になる。よって、通過光は、偏光板１０８の吸収軸の方向Ｄ３はＤ４方向に垂直なので、偏光板１０８を通過できない。したがって、ＬＣＤパネル１００の輝度は電圧Ｖに依存する。
【０００６】
しかしながら、図１Ｂに示されるように、液晶分子１０６の中間部分だけが電界方向に平行に配向され、基板１０２の下側表面及び基板１０４の上側表面に近い液晶分子１０６は、ラビング方向Ｄ１及びＤ２によって、それぞれ影響される。したがって、光漏れが発生し、ＬＣＤパネル１００の基板のコントラスト比のような性能が低下する。
【０００７】
図１Ａ及び１Ｂに示される従来のＬＣＤの問題を解決するために、光学的補償フィルムが開発された。図２は他の従来のＬＣＤの分解構造を示す概略図である。図２を参照すると、ＬＣＤパネルの基本構造を除いて、ＬＣＤパネル２００はさらに、基板１０２／１０４及び偏光板１０８／１１０のそれぞれの間に光学的補償フィルム２１２／２１４を有する。光学的補償フィルム２１２及び２１４の吸収軸のＤ５及びＤ６方向は、Ｄ３及びＤ４方向と同じに配置される。光学的補償フィルム２１２及び２１４は図１Ｂで示される液晶分子１０６の反射率の相違を補償するために提供される。したがって、光漏れの問題は防止され、ＬＣＤパネル２００のコントラスト比のような性能が増大した。
【０００８】
しかしながら、図２に示されるＬＣＤパネルは次の欠点を有する。図３Ａは、図２に示される視角とコントラスト比の関係を示す図である。図３Ｂは、視角の座標系を定義する模式図である。図３Ａのプロットの視角が図３Ｂにおいて規定され、ここで、方向３１２は観察者の観察方向であり、方位角座標は、ＬＣＤパネル２００の基板１０２の表面上のＸ−軸（０°）と同表面上に投影された３１２方向との間の角として定義され、ラジアル座標は３１２方向とＺ軸（すなわち、ＬＣＤパネル２００の基板１０２の表面の垂線）の間の角度と定義される。Ｘ軸及びＺ軸は図２に示されている。図３Ａに示される図はＬＣＤパネルと観察方向３１２のコントラスト比を示す。ここで、コントラスト比とは明るい画素の輝度（基板１０２と１０４の間に電位差なし）と暗い画素の輝度（基盤１０２と１０４の間に電位差あり）の比として定義される。図３に示されるハッチ部のコントラスト比は１０より大きいが、方位角座標が２７０°に近い領域のコントラスト比は１０より小さいことに留意すべきである。
【０００９】
図４は、図２に示されるＬＣＤのグレー範囲の反転現象を示している。図４に示されるように、方位角座標は９０°又は２７０°に近く、図４に示されるマーク領域のグレー範囲は何度も変化するため、グレー範囲の反転現象は深刻である。
【００１０】
図５は、図２に示される観察者とＬＣＤを示す図である。図５を参照すると、図２に示されるＬＣＤ２００によって表示された像はＤ３方向に垂直な偏光方向を有する。しかしながら、観察者がサングラス５０２をかけるとき、従来のサングラスは、一般的に、太陽光をフィルター処理するためにＤ８方向の吸収軸を有するため、Ｄ８方向に垂直な偏光方向を有する像の部分のみが観察される。したがって、ＬＣＤ２００によって表示される像の観察される輝度は急激に低下する。
【発明の開示】
【発明が解決しようとする課題】
【００１１】
よって、方位角座標が２７０°に近いときの低いコントラスト比を改善し、グレー範囲反転問題を解消し、観察者が偏光サングラスをかけてＬＣＤを観るときの輝度の低下を回避するＬＣＤが非常に望まれている。
【００１２】
本発明は、方位角座標が２７０°に近いときの低いコントラスト比を改善し、グレー範囲反転問題を解消し、観察者が偏光サングラスをかけてＬＣＤを観るときの輝度の低下を回避するＬＣＤに関するものである。
【００１３】
また、本発明は、方位角座標が２７０°に近いときの低いコントラスト比を改善し、グレー範囲反転問題を解消し、観察者が偏光サングラスをかけてＬＣＤを観るときの輝度の低下を回避する表示装置に関するものである。
【００１４】
さらに、本発明は、方位角座標が２７０°に近いときの低いコントラスト比を改善し、グレー範囲反転問題を解消し、観察者が偏光サングラスをかけてＬＣＤを観るときの輝度の現象を回避する表示装置を含む電子装置に関するものである。
【課題を解決するための手段】
【００１５】
本発明の１つの態様によれば、表示パネルは、第１基板、第１基板に平行で反対側に位置する第２基板、第１基板と第２基板の間に配置される液晶分子、第１基板を覆って配置される第１偏光板、及び第２基板を覆って配置される第２偏光板を有する。第１基板は、第１の配向方向に第１の配向表面を有し、第２の基板は第２の配向方向に第２の配向表面を有する。第１の配向板は第１の吸収軸を含み、第２の配向板は第２の吸収軸を含む。第１の吸収軸及び第１の配向方向の間の角度、並びに第２の吸収軸と第２の配向方向の間の角度は、それぞれ４５°±１０°の範囲である。
【００１６】
本発明の１つの態様によれば、表示パネルは、第１の基板と第１の偏光板の間に配置された第１の光学的補償フィルム、及び第２の基板と第２の偏光板の間に配置された第２の光学的補償フィルムをさらに含む。第１及び第２の光学的補償フィルムは、それぞれ第３及び第４の吸収軸を有する。また、第３の吸収軸と第１の配向方向、並びに第４の吸収軸と第２の配向方向はほぼ平行である。
【００１７】
したがって、本発明においては、ＬＣＤパネルの基板の偏光板の吸収軸の方向はＬＣＤパネルの基板の配向表面のラビング方向と実質的に平行でないので、方位角座標が２７０°に近接するときの低いコントラスト比の問題、グレー範囲反転問題、及び観察者が偏光サングラスをかけてＬＣＤを観るときの輝度の低下を大幅に改善する。
【００１８】
本発明の他の態様によれば、追加の補償フィルムが第１の光学的補償フィルムと偏光板の間に供給される。１つの態様において、追加の補償フィルムの遅い軸は偏光板の吸収軸と第１の光学的補償フィルムの間にある。他の態様において、追加の光学的補償フィルムの遅い軸と偏光板の吸収軸の間の角度は９０°±１０°である。
【発明を実施するための最良の形態】
【００１９】
本発明の１又は複数又は全ての特徴及び利点は、本発明を実施するために最も適した例示の１つによって、本発明の１つの実施例が示され、説明されている次の記載から当業者が容易に理解できるであろう。本発明は、理解されるように、本発明から離れない範囲で、多様な自明な側面において、異なる実施例が可能である。したがって、図面及び記載は例示のものであり、これによって限定されるものではない。
【００２０】
本発明は、発明の実施例が示される添付の図面を参照することによって、以下に詳しく説明される。しかしながら、本発明は、多くの異なった形で具体化され、以下に記載される実施例に限定して解釈されるべきではない。むしろ、当業者にとって発明の範囲が十分わかりやすくなるように発明の開示を十分にまた完全にするためにこれらの実施例は提供される。
【００２１】
図６は、本発明の１つの実施例のＬＣＤの構造の分解模式図である。図６を参照すると、ＬＣＤパネル６００は、上部基板６０２、底部透明基板６０４、基板６０２と６０４の間に配置される液晶分子６０６、基板６０２の上部及び基板６０４の下部に配置される偏光板６０８及び６１０、並びに光源６１２を含む。光源は、例えば、図６に示される基板６０４の底部面からＬＣＤパネル６００を照らすか、又は、正面の光源は基板６０２（図示せず）の上部からＬＣＤパネル６００を照らす。
【００２２】
本発明の１つの実施例によれば、基板６０２の下部表面並びに液晶分子６０６に近接する基板６０４の上部表面は、液晶分子６０６を配列するための配向表面を形成するためにラビング処理される。Ｄ１１方向とＤ１２方向は基板６０２の下面及び基板６０４の上面のラビング方向である。図６に示されるように、透明基板６０２の下面及び基板６０４の上面に隣接する液晶分子６０６は、Ｄ１１及びＤ１２にそれぞれ平行に配向される。本発明の１つの実施例において、Ｄ１１及びＤ１２の方向は約９０°±１０°の範囲、又はより好ましくは９０°±５°の範囲にある。基板６０２と６０４の間には、液晶分子６０６が、基板６０２の下面から基板６０４の上面までに約９０°±１０°又は９０°±５°回転して配列される。本発明の１つの実施例において、偏光板６０８／６１０の吸収軸の方向Ｄ１３／Ｄ１４及びＤ１１／Ｄ１２方向の角度は、それぞれ約４５°±１０°の範囲、好ましくは４５°±５°の範囲にある。図６に示される偏光板６０８及び６１０の吸収軸のＤ１３及びＤ１４方向は例として示されているに過ぎず、本発明の範囲を限定するために使用されてはならない。
【００２３】
本発明の他の実施例においては、第１の光学的補償フィルム（例えば、１／４波長板又は１／２波長板）をＬＣＤパネルに適用することができる。図７Ａは、本発明の１つの実施例であるＬＣＤの分解構造図である。図７Ａを参照すると、ＬＣＤパネル６００の基本構造を除いて、ＬＣＤパネル７００は、それぞれ基板６０２／６０４と偏光板６０８／６１０の間に配置された第１／第２の光学的補償フィルムをさらに含む。第１／第２の光学的補償フィルム７１２／７１４の吸収軸のＤ１５／Ｄ１６方向とＤ１１／Ｄ１２方向の間の角度は、それぞれ、約１０°〜１０°の範囲、又はより好ましくは０°〜５°の範囲にある。第１及び第２の光学的補償フィルム７１２及び７１４は、図６に示される液晶分子６０６の反射率の相違を補償するために適用される。本発明の１つの態様においては、液晶分子６０６の２つの反射率の相違の表示は、光学的補償フィルム７１２及び７１４の２つの反射率の相違の表示と異なる。したがって、光漏れの問題は防止され、ＬＣＤパネル７００のコントラスト比のような性能は増大する。
【００２４】
図８は、本発明の１つの態様の図７Ａに示されるＬＣＤのコントラスト比に対する視角の関係をプロットしたものである。図８Ａは、ＬＣＤパネル７００のコントラストに対する視角（図３Ｂを参照して定義される座標軸に基づいた３１２方向）を表し、ここで、Ｘ軸とＺ軸は図７に示されている。コントラスト比は、明るい画素の輝度（基板６０２と６０４の間に電位差なし）と暗い画素の輝度（基板６０２と６０４の間に電位差あり）の比として定義される。図３Ａに示される従来のＬＣＤのコントラスト比１０以下を有する方位角座標が２７０°に近接する領域の問題が除去されていることは注目すべきことである。また、図８に示されるように、コントラスト比１０以下の４つの領域８０２、８０４、８０６、８０８は図３に示される領域より小さい。
【００２５】
図９Ａ−９Ｂは、従来のＬＣＤパネルの観察における相違を示す模式図である。図９Ａを参照すると、図２に示されるＬＣＤパネル２００が、方位角座標０°で観察されるとき、偏光板１０８と１１０の観察される方向Ｄ３及びＤ４は互いに直角である。しかしながら、図９Ｂにおいては、図２に示されるＬＣＤパネル２００が方位角座標２７０°に近く、及びラジアル座標が例えば７０°近くで観察されるとき、偏光板１０８及び１１０の観察される方向Ｄ３及びＤ４は互いに直角ではない。したがって、ＬＣＤパネル２００が図９Ｂに示される視角から観察されるとき光漏れが発生し、これによってコントラスト比１０以下の領域３０２が発生する。
【００２６】
図９Ｃ−９Ｄは、本発明の１つの態様のＬＣＤの観察における差異を示す模式図である。図９Ｃを参照すると、図６又は図７に示されるＬＣＤパネル６００又は７００が方位角座標０°で観察されるとき、偏光板６０８及び６１０の観察される方向Ｄ１３及びＤ１４は相互に垂直である。しかしながら、図９Ｄにおいて、図６又は図７Ａは方位角座標２７０°に近く、及びラジアル座標が例えば７０°近くで観察されるとき、偏光板６０８及び６１０の観察される方向Ｄ１３及びＤ１４は依然として相互に垂直である。したがって、従来のＬＣＤパネル２００におけるコントラスト比が１０以下の領域３０２は除去される。
【００２７】
図１０Ａは、本発明の１つの実施態様であるＬＣＤのグレー範囲反転を示すプロットである。方位角座標が９０°又は２７０°における図４に示されるグレー範囲反転現象の深刻な問題が図１０においては改善されていることがわかる。特に、グレー範囲が図１０に示される方位角座標２７０°に沿って最大２回反転するだけなので、グレー範囲が図４に示される方位角座標９０°又は２７０°に沿って頻繁に反転するという問題は除去されている。要するに、本発明においては、領域１００２、１００４、１００６、１００８で発生するグレー範囲反転現象は改善される。
【００２８】
次の例示は本発明の選択的な実施例である。前述のすべてはここに引用して取り込まれる。
【００２９】
図７Ｂは本発明の他の実施例のＬＣＤ構造の分解模式図である。図８Ｂは、本発明の１つの態様の図７Ｂに示されるＬＣＤのコントラスト比に対する視覚角度の分布を示す。図１０Ｂは本発明の他の実施例のＬＣＤのグレー範囲反転現象を示す分布を示す。図７Ｂ、図８Ｂ及び図１０Ｂを参照すると、ＬＣＤパネル７００の基本構造を除いて、ＬＣＤパネル７００’はさらに第３の光学的補償フィルム７１６を含む。第３の光学的補償フィルム７１６は、ｎｘ＝ｎｚ≠ｎｙ又はｎｙ＝ｎｚ≠ｎｘの関係を充足する屈折率を有し、ここで、ｎｘ及びｎｙは面内主屈折率であり、ｎｚは厚さ方向の屈折率である。第３の光学的補償フィルム７１６は第１の光学的補償フィルム７１２と偏光板６０８の間に配置される。第３の光学的補償フィルム７１６の遅い軸方向Ｄ１９と方向Ｄ１５の間の角度は約４５°±１０°の範囲又は４５°±５°の範囲であり得る。第３の光学的補償フィルム７１６の遅い軸方向Ｄ１９と方向Ｄ１３の間の角度は約９０°±１０°の範囲又は９０°±５°の範囲であり得る。現在の実施例においては、光漏れの問題は防止され、ＬＣＤパネル７００’のコントラスト比のような性能はさらに増加する（図８Ｂ及び図１０Ｂ参照）。
【００３０】
図７Ｃは本発明の他の実施例のＬＣＤ構造の分解模式図である。図８Ｃは、本発明の１つの態様の図７Ｃに示されるＬＣＤのコントラスト比に対する視覚角度の分布を示す。図１０Ｃは本発明の他の実施例のＬＣＤのグレー範囲反転現象を示す分布を示す。図７Ｃ、図８Ｃ及び図１０Ｃを参照すると、ＬＣＤパネル７００の基本構造を除いて、ＬＣＤパネル７００’’はさらに第４の光学的補償フィルム７１８を含む。第４の光学的補償フィルム７１８は、ｎｘ＝ｎｚ≠ｎｙ又はｎｙ＝ｎｚ≠ｎｘの関係を充足する屈折率を有し、ここで、ｎｘ及びｎｙは面内主屈折率であり、ｎｚは厚さ方向の屈折率である。第４の光学的補償フィルム７１８は第２の光学的補償フィルム７１４と偏光板６１０の間に配置される。第４の光学的補償フィルム７１８の遅い軸方向Ｄ２０と方向Ｄ１６の間の角度は約４５°±１０°の範囲又は４５°±５°の範囲であり得る。第３の光学的補償フィルム７１８の遅い軸方向Ｄ２０と方向Ｄ１４の間の角度は約９０°±１０°の範囲又は９０°±５°の範囲であり得る。現在の実施例においては、光漏れの問題は防止され、ＬＣＤパネル７００’’のコントラスト比のような性能はさらに増加する（図８Ｃ及び図１０Ｃ参照）。
【００３１】
図１１は、観察者と本発明の１つの態様の図７に示されるＬＣＤを示す模式図である。図１１を参照すると、図７に示されるＬＣＤ７００によって表示された像はＤ１３方向に垂直なＤ１７偏光方向を有する。したがって、観察者が、例えば、ＬＣＤ７００によって表示される像の偏光方向Ｄ１７に垂直なＤ１８方向の吸収軸を有する従来の偏光サングラス１１０２をかけるとき、サングラス１１０２をかける観察者によって観察される輝度は従来技術に比較して低下しない。
【００３２】
図１２は、本発明の１つの実施態様の表示装置を示すブロック模式図である。この表示装置１２００は、例えば、表示パネル１２０２、スキャンドライバー１２０４、複数の走査線によって表示パネルに接続されたデータドライバー１２０６を有する。本発明の表示パネル２００は上述の通りであり、繰り返さない。
【００３３】
図１３は、本発明の１つの実施態様の電子装置を示すブロック図である。図１３を参照すると、電子装置１３００は、図１２に示される表示装置１２００及び表示装置１２００に接続される表示装置１３０８を有する。入力装置１３０８はイメージデータ、使用者からの命令などを受信する。本発明のディプレイ装置１２００は上述の通りであり、繰り返さない。
【００３４】
したがって、本発明においては、ＬＣＤパネルの偏光板の吸収軸の方向はＬＣＤパネルの基板の配向表面のラビング方向に実質的に並行ではないから、方位角座標が２７０°に近接するときの低いコントラスト比の問題、グレー範囲反転問題、及び観察者が偏光サングラスをかけてＬＣＤを観るときの輝度の低下を大幅に改善する。
【００３５】
本発明の上記の実施態様の記載は例示と説明のためになされたものである。発明を開示した細かい型や例示の実施態様に限定する意図ではない。したがって、上記の説明は、制限的でなくむしろ例示として理解されるべきである。当然のことながら、多くの改良や変形は、当業者にとって明らかである。実施例は、本発明の原理及びその最もすぐれた実施態様を最も説明しやすくし、これによって、当業者に種々の実施例と種々の改良を理解可能にするものである。本発明の範囲は、特許請求の範囲によって規定され、他に特記しないかぎり、その用語は最も広い常識的な意味に解釈される。本発明の範囲から離れない限り、当業者によって、実施例の様々な変形が可能である。さらに、本発明の要素や構成は、たとえ特許請求の範囲において繰り返し使用されていても、第３者の自由な使用を許可する意図ではない。
【図面の簡単な説明】
【００３６】
【図１Ａ】従来のＬＣＤパネルの構造を示す分解模式図である。
【図１Ｂ】従来のＬＣＤパネルの動きを示す分解模式図である。
【図２】他の従来のＬＣＤの構造を示す分解模式図である。
【図３Ａ】図２のＬＣＤのコントラスト比に対する視角のプロットである。
【図３Ｂ】視角の方位角座標の定義を示す模式図である。
【図４】図２のＬＣＤの反転現象の分布を示すプロットである。
【図５】観察者及び図２のＬＣＤを示す図である。
【図６】本発明の１つの実施態様のＬＣＤの構造の分解模式図である。
【図７Ａ】本発明の１つの実施態様のＬＣＤの構造の分解模式図である。
【図７Ｂ】本発明の１つの実施態様のＬＣＤの構造の分解模式図である。
【図７Ｃ】本発明の１つの実施態様のＬＣＤの構造の分解模式図である。
【図８Ａ】本発明の１つの実施態様の図７ＡのＬＣＤのコントラスト比に対する視角のプロットである。
【図８Ｂ】本発明の１つの実施態様の図７ＢのＬＣＤのコントラスト比に対する視角のプロットである。
【図８Ｃ】本発明の１つの実施態様の図７ＣのＬＣＤのコントラスト比に対する視角のプロットである。
【図９Ａ】従来のＬＣＤパネルの観察の差異を示す模式図である。
【図９Ｂ】従来のＬＣＤパネルの観察の差異を示す模式図である。
【図９Ｃ】本発明の１つの実施態様のＬＣＤの観察の差異を示す模式図である。
【図９Ｄ】本発明の１つの実施態様のＬＣＤの観察の差異を示す模式図である。
【図１０Ａ】本発明の１つの実施態様のＬＣＤのグレー範囲反転現象を示すプロットである。
【図１０Ｂ】本発明の１つの実施態様のＬＣＤのグレー範囲反転現象を示すプロットである。
【図１０Ｃ】本発明の１つの実施態様のＬＣＤのグレー範囲反転現象を示すプロットである。
【図１１】観察者及び本発明の１つの実施態様の図７のＬＣＤを示す図である。
【図１２】本発明の１つの態様の表示装置を示すブロック模式図である。
【図１３】本発明の１つの態様の表示装置を示すブロック模式図である。
【符号の説明】
【００３７】
１００      ＬＣＤパネル
１１０      偏光板
１０２      上部基板
１０４      底部基板
１０６      液晶分子
１０８      偏光板
２００      ＬＣＤパネル
３１２      視角の方向
５０２      従来のサングラス
６００      ＬＣＤパネル
６０２      透明基板
６０４      基板
６０６      液晶分子
６０８      偏光板
６１０      偏光板
７００      ＬＣＤパネル
７００’    ＬＣＤパネル
７００’’    ＬＣＤパネル
７１２      光学的補償フィルム
７１４      光学的補償フィルム
１２００    表示装置
１２０２    表示パネル
１２０４    走査線ドライバー
１２０６    データドライバー
１３００    電子装置
１３０８    入力装置
【図１Ａ】
2006091870.tif 000003
【図１Ｂ】
2006091870.tif 000004
【図２】
2006091870.tif 000005
【図３Ａ】
2006091870.tif 000006
【図３Ｂ】
2006091870.tif 000007
【図４】
2006091870.tif 000008
【図５】
2006091870.tif 000009
【図６】
2006091870.tif 000010
【図７Ａ】
2006091870.tif 000011
【図７Ｂ】
2006091870.tif 000012
【図７Ｃ】
2006091870.tif 000013
【図８Ａ】
2006091870.tif 000014
【図８Ｂ】
2006091870.tif 000015
【図８Ｃ】
2006091870.tif 000016
【図９Ａ】
2006091870.tif 000017
【図９Ｂ】
2006091870.tif 000018
【図９Ｃ】
2006091870.tif 000019
【図９Ｄ】
2006091870.tif 000020
【図１０Ａ】
2006091870.tif 000021
【図１０Ｂ】
2006091870.tif 000022
【図１０Ｃ】
2006091870.tif 000023
【図１１】
2006091870.tif 000024
【図１２】
2006091870.tif 000025
【図１３】
2006091870.tif 000026